(57)【要約】【課題】プラグインブレーカを取り外す際、係止部材が破損する恐れを少なくできる分電盤を提供する。【解決手段】引掛部７を有したベース１と、複数の導電バー２〜４と、これらの導電バー２〜４のうちの最上段の導電バー４に基端が取着されて先端に導電バー４の幅方向へ突出する係止部２２を設けた係止部材６と、一方側に受刃１６、１７を設けるとともに他方側に被引掛部１８を設け、更に一方側上面には受刃１６、１７に導電バー２〜４を差し込んだ状態で係止部２２に係脱可能に係止される被係止部２３が設けられた複数のプラグインブレーカ５とを備え、係止部材６は、係止部２２と基端側の貫通孔２７を有した本体２５と、貫通孔２７に挿通された回動操作部２６ａを有し係止部２２を被係止部２３から外す押圧片３７を形成した本体駆動部２６ｂを有する操作体２６とで構成されている。【選択図】　図１
2004147376.tif 000002
【特許請求の範囲】
【請求項１】
引掛部を有したベースと、このベースに対して高さ方向に並設した複数の導電バーと、これらの導電バーのうちの最上段の導電バーに基端が取着されて先端に前記導電バーの幅方向へ突出する係止部を設けた係止部材と、一方側に前記導電バーを差込接続する受刃を設けるとともに他方側に前記引掛部に引掛けられる被引掛部を設け、更に一方側上面には前記受刃に前記導電バーを差し込んだ状態で前記係止部に係脱可能に係止されて前記受刃が前記導電バーから外れる方向の移動を防止する被係止部が設けられて前記導電バーの延出方向に沿って横並びに前記ベースに並設される複数のプラグインブレーカと、を備えた分電盤において、
前記係止部材は、先端に前記係止部を有するとともに基端側に貫通孔を有して前記導電バーに取着される本体と、この本体とは別体であって前記本体の前記貫通孔に挿通された回動操作部を有するとともに前記回動操作部に連設されて前記本体と前記導電バーとの間に介在し、前記回動操作部の回動操作によって前記本体と前記導電バ−との間で回動する本体駆動部を有した操作体とで構成され、前記本体駆動部には、前記本体の基端および先端間の裏面に臨んだ状態で前記係止部を前記被係止部から外す方向に付勢して前記係止部を前記被係止部から外す押圧片が形成されたことを特徴とする分電盤。
【請求項２】
前記係止部に前記被係止部が係止された状態で、前記プラグインブレーカの−方側端面に当接する押出し片を前記本体に設けた請求項１記載の分電盤。
【請求項３】
前記係止部に前記被係止部が係止された状態で、前記プラグインブレーカの一方側端面に当接する押出し片を前記本体駆動部に形成した請求項１記載の分電盤。
【発明の詳細な説明】
【０００１】
【発明の属する技術分野】
本発明は、プラグインブレーカの先端に引掛けてプラグインブレーカが導電バーから外れる方向へ移動するのを防止する係止部材を有する分電盤に関する。
【０００２】
【従来の技術】
この種の分電盤としては、例えば図９および図１０に示すように、ベース１００に引掛部１０１を形成するとともに、３つの導電バー１０２〜１０４のうちの最上段の導電バー１０４に係止部１０５を有する係止部材１０６を取着し、一方側に受刃１０７、１０８を設けるとともに他方側に被引掛部１０９を設けたプラグインブレーカ１１０を導電バー１０２〜１０４の幅方向から取着し、プラグインブレーカ１１０の一方側上面に形成された被係止部１１１を係止部１０５に係止させるとともにベース１００の引掛部１０１を被引掛部１０９に引掛けてプラグインブレーカ１１０が導電バー１０２〜１０４から離れる方向の移動を規制している。
【０００３】
ここで係止部材１０６は、合成樹脂成形品からなり、一端が支点となる連結片により一体に支持された弾性突出片１１２が形成されており、この弾性突出片１１２の先端部が正規位置に配置されるプラグインブレーカ１１０の一方側上面に臨むように突出しており、その先端部両側にはプラグインブレーカ１１０の一方側上面に並設した２つの突起状の被係止部１１１に係止する係止部１０５を側方に突出形成している。また連結片を間にして弾性突出片１２と反対側に操作片１１４を延出している。そして、プラグインブレーカ１１０をベース１００から外すには、係止部材１０６の弾性突出片１１２の基端側に連設された操作片１１４をドライバ（図示せず）で下方に押圧し、弾性突出片１１２の基端が連結された連結片を回動支点として回動させてその先端部を上方へ移動させ、先端部の係止部１０５をプラグインブレーカ１１０の被係止部１１１から離脱させることにより行う（特許文献１参照）。
【０００４】
【特許文献１】
特開２００１−１３６６１１号公報（第４頁第６列第３行目〜第２３行目、第５頁第８列第４行目〜第１８行目、図１、図７、図１２）
【０００５】
【発明が解決しようとする課題】
上述した分電盤にあっては、プラグインブレーカ１１０をベース１００から外す場合、係止部材１０６の弾性突出片１１２の基端に連設された操作片１１４をドライバで下方に押圧し、弾性突出片１１２の基端が連結された連結片を回動支点として回動させてその先端部を上方へ移動させて行っているので、操作片１１４へのドライバ押圧量と実際に変位する係止部１０のある先端部の量とが一致せず、ドライバで操作片１１４を更に押圧すると回動支点である連結片が捩じれて破損してしまうという問題があった。
【０００６】
本発明は、かかる事由に鑑みて成されたものであり、その目的とするところは、プラグインブレーカを取り外す際、係止部材が破損する恐れを少なくできる分電盤を提供することにある。
【０００７】
【課題を解決するための手段】
請求項１記載の分電盤は、引掛部を有したベースと、このベースに対して高さ方向に並設した複数の導電バーと、これらの導電バーのうちの最上段の導電バーに基端が取着されて先端に前記導電バーの幅方向へ突出する係止部を設けた係止部材と、一方側に前記導電バーを差込接続する受刃を設けるとともに他方側に前記引掛部に引掛けられる被引掛部を設け、更に一方側上面には前記受刃に前記導電バーを差し込んだ状態で前記係止部に係脱可能に係止されて前記受刃が前記導電バーから外れる方向の移動を防止する被係止部が設けられて前記導電バーの延出方向に沿って横並びに前記ベースに並設される複数のプラグインブレーカと、を備えた分電盤において、
前記係止部材は、先端に前記係止部を有するとともに基端側に貫通孔を有して前記導電バーに取着される本体と、この本体とは別体であって前記本体の前記貫通孔に挿通された回動操作部を有するとともに前記回動操作部に連設されて前記本体と前記導電バーとの間に介在し、前記回動操作部の回動操作によって前記本体と前記導電バ−との間で回動する本体駆動部を有した操作体とで構成され、前記本体駆動部には、前記本体の基端および先端間の裏面に臨んだ状態で前記係止部を前記被係止部から外す方向に付勢して前記係止部を前記被係止部から外す押圧片が形成されたことを特徴とするものである。
【０００８】
請求項１記載の分電盤によれば、本体とは別体の操作体を回動操作することによって操作体に形成された押圧片が本体の基端および先端間の裏面に臨んで係止部を被係止部から外す方向に押圧付勢し、係止部を被係止部から外すことができるので、本体の基端から先端間への押圧量でそのまま係止部を被係止部から外すことができる。従って、従来に比べて係止部材が破損し難いものとなる。
【０００９】
請求項２記載の分電盤は、請求項１において、前記係止部に前記被係止部が係止された状態で、前記プラグインブレーカの−方側端面に当接する押出し片を前記本体に設けたものである。
【００１０】
請求項２記載の分電盤によれば、請求項１と同様な効果のほか、操作体が回転すると、本体の押出し片がプラグインブレーカの一方側端面に当接してプラグインブレーカを取り外す方向の力を蓄積し、そのまま操作体を回転させて係止部から被係止部が外れると蓄積された力でプラグインブレーカを簡単に取り外すことができ、そのためプラグインブレーカの取り外し作業が容易となる。
【００１１】
請求項３記載の分電盤は、請求項１において、前記係止部に前記被係止部が係止された状態で、前記プラグインブレーカの一方側端面に当接する押出し片を前記本体駆動部に形成したものである。
【００１２】
請求項３記載の分電盤によれば、請求項１と同様な効果のほか、操作体が回転すると、本体駆動部の押出し片がプラグインブレーカの一方側端面に当接してプラグインブレーカを取り外す方向の力を蓄積し、そのまま操作体を回転させて係止部から被係止部が外れると蓄積された力でプラグインブレーカを簡単に取り外すことができ、そのためプラグインブレーカの取り外し作業が容易となる。
【００１３】
【発明の実施の形態】
この発明の第１の実施の形態を図１から図６に基づいて説明する。この分電盤は、ベース１と、複数の導電バー２〜４と、プラグインブレーカ５と、係止部材６を有する。
【００１４】
ベース１は引掛部７を有するものである。ベース１上には中央部８を間にして向かい合わせにプラグインブレーカ５を載置するとともにその複数を横方向に並設している。ベース１は樹脂製の固定ベース１ａと金属製の取付ベース１ｂを有し、取付ベース１ｂ側が分電盤の箱形のボディの内底部に取着される。引掛部７はベース１の両側縁で中央部８と反対向きに突出する逆Ｌ字形に形成している。
【００１５】
複数の導電バー２〜４は、ベース１に対して高さ方向に最下段、中段および最上段の３段に並設している。実施の形態においては、両端部が支持部材（図示せず）に支持されて、ベース１の中央部８上に導電バー２〜４が段設されている。
【００１６】
複数のプラグインブレーカ５は、上記したように、導電バー２〜４の延出方向に沿って横並びにベース１に並設される。各プラグインブレーカ５の一方側（前側）に導電バー２〜４を差込接続する受刃１６、１７を設けるとともに他方側（後側）に引掛部７に引掛けられる被引掛部１８を設けている。導電バー２〜４を差し込ませるためプラグインブレーカ５の一方側に導電バー２〜４に対向する複数の溝２０を形成し、受刃１６は最上段の溝２０内に配置し、受刃１７は図１の右側のプラグインブレーカ５は最下段の溝２０内に配置している。受刃１７は中段の溝２０に移動可能に構成されており、図１の左側のプラグインブレーカ５は中段の溝２０に受刃１７が配設され、導電バー３に接触している。また実施の形態の被引掛部１８は引掛部７の形状に略合わせて、プラグインブレーカ５の側方と下方に開口する略逆Ｌ字形溝により凹状に形成している。したがって、プラグインブレーカ５は、ベース１に載置しながら被引掛部１８の凹みに引掛部７を嵌めて前方に移動することにより係止し、導電バー２〜４に受刃１６、１７を差し込んだとき完全な係止状態となり、ベース１から垂直に離れる方向の移動が規制され、反対に後方（他方側）に移動することにより被引掛部１８から外れることができる。更に一方側上面には受刃１６、１７に導電バー２〜４を差し込んだ状態で後述の係止部２２に係脱可能に係止されて受刃１６、１７が導電バー２〜４から外れる方向の移動を防止する被係止部２３が設けられている。被係止部２３は、プラグインブレーカ５毎に一対並設され、係止部２２に当接する当接開始となる最先端側から徐々に上方へ突出する傾斜状に形成されている。このため、被係止部２３に係止部２２が係止するとき斜面２３ａに沿って係止部２２を乗り越えることができるので、係止部２２に被係止部２３を係止し易くなり、プラグインブレーカ５を取り付ける作業が容易となる。
【００１７】
係止部材６は、本体２５と、操作体２６とで構成されている。本体２５は先端に係止部２２を有するとともに基端側に導電バー側に向く貫通孔２７を有して最上段の導電バー４に取着される。実施の形態では係止部材６は合成樹脂製であり、例えば図５に示すように本体２５は導電バー４の延出方向に延びる基部２５ａと、設置されるプラグインブレーカ５の各々に基部２５ａの両側から延出する略Ｔ字形の本体部２５ｂからなっており、係止部２２はその両肩部に形成されている。実施の形態では相対向する一対のプラグインブレーカ５毎に基部２５ａ上に貫通孔２７を形成し、貫通孔２７ごと一対の本体部２５ｂが基部２５ａの両側に形成されている。導電バー４に取付孔２８を形成し、取付孔２８に圧入する支柱２９を基部２５ａより垂下している。支柱２９の先端には取付孔２８に貫通する細径部２９ａを有し、細径部２９ａの先端に頭部２９ｂを形成するとともに中央に割溝２９ｂを形成し、取付孔２８に圧入することにより割溝２９ｃが狭まって頭部２９ｂを取付孔２８に貫通し、復元して抜止めとなる。これで本体２５は導電バー４上の支柱２９の高さに固定されている。
【００１８】
操作体２６は、本体２５とは別体であって本体２５の貫通孔２７に挿通された回動操作部２６ａを有するとともに回動操作部２６ａに連設されて本体２５と導電バー４との間に介在し、回動操作部２６ａの回動操作によって本体２５と導電バ−４との間で回動する本体駆動部２６ｂを有する。操作体２６の本体駆動部２６ｂは円柱状であり、下面が導電バー４に載置され、上面が本体２５の下面に当接している。回動操作部２６ａは本体駆動部２６ｂよりも細径の円柱状であり、本体駆動部２６ｂの上面に一体的に連結されており、回動操作部２６ａの上面はドライバ等の操作具の差し込み溝２６ｃを形成している。また本体駆動部２６ｂには、本体２５の基端および先端間の裏面に臨んだ状態で係止部２２を被係止部２３から外す方向に付勢して係止部２２を被係止部２３から外す押圧片３０が形成されている。押圧片３０は、本体駆動部２６ｂの上面の回動操作部２６ａの周辺に本体２５の基端部を押し上げるための突部により形成している。本体２５の各係止部２２は各プラグインブレーカ５に対して個別に係止解除できるように押圧片３０の位置が設定されている。
【００１９】
したがって、本体２５に被係止部２３を係止するときは本体２５の先端がプラグインブレーカ５の上面に載るようにプラグインブレーカ５をスライドし、係止部２２に被係止部２３の傾斜面２３ａをスライドして係止部２２を被係止部２３に乗り越えさせ例えば図１および図２の状態に係止する。このとき押圧片３０は本体部２５ｂから離れている。つぎに、例えば図１の一方（右側）の係止部２２を被係止部２３から外すときは、図４に示すように差し込み溝２６ｃをドライバー等により回動し押圧片３０が本体部２５ｂの下面に入るようにする。これにより押圧片３０の突出量分本体部２５ｂの基端と先端との間の部分が押し上げられて係止部２２が被係止部２３から外れる方向に移動して外れる。
【００２０】
このように、本体２５とは別体の操作体２６を回動操作することによって、操作体２６に形成された押圧片３０が本体２５の基端および先端間の裏面に臨んで係止部２２を被係止部２３から外す方向に押圧付勢し、係止部２２を被係止部２３から外すことができるので、本体２５の基端から先端間への押圧量でそのまま係止部２２を被係止部２３から外すことができる。従って、係止部材６が破損し難いものとなる。この点、特開２００１−１３６６１１号は係止部材全体が弾性体で形成されており、軸支点の一方側の基端部を押圧すれば軸支点の他端側の係止部が被係止部から外れる方向に移動するので、基端部の押圧量と係止部が被係止部から離れた量とが必ずしも一致せず、係止部を被係止部から外すために基端部を更に押圧すれば軸支点部分から破損してしまう恐れがあった。
【００２１】
また、本体２５には、係止部２２に被係止部２３が係止された状態で、プラグインブレーカ５の−方側端面５ａに当接する押出し片３７を設けている。実施の形態の押出し片３７は本体部２５ｂの下面に突出した断面三角形状の突起になっている。例えば図３の左側の本体２５のように係止部２２が被係止部２３に係止した状態で押出し片３７はプラグインブレーカ５の一方側端面５ａに当接する。図３の右側の本体２５のように回動操作部２６ａで本体２５を押し上げるにつれ押出し片３７が一方側端面５ａを押すが、係止部２２が被係止部２３から外れるまでは押圧したままで本体２５が弾性変形することにより押圧力を蓄え、係止部２２が被係止部２３から外れると押出し片３７がプラグインブレーカ５を押し出す作用によりプラグインブレーカ５が導電バー２〜４から外れることができ、同時に引掛部７からも被引掛部１８が外れる方向に移動し、プラグインブレーカ５は単にベース１上に載置されただけの状態となる。
【００２２】
このように、操作体２６が回転すると、本体２５の押出し片３７がプラグインブレーカ５の一方側端面５ａに当接してプラグインブレーカ５を取り外す方向の力を蓄積し、そのまま操作体２６を回転させて係止部２２から被係止部２３が外れると蓄積された力でプラグインブレーカ５を簡単に取り外すことができ、そのためプラグインブレーカ５の取り外し作業が容易となる。
【００２３】
図６は分電盤の蓋体を外した状態であり、ベース１が分電盤の箱形のボディ４３の内底部に取着され、ベース１上にプラグインブレーカ５が横２列に配置され、その列の端部で導電バー２〜４の端部が主幹ブレーカ４４に接続されている。複数の本体２５が端部に設けた連結部２５ｃにより相互に連結されている。４５は通線用のノックアウト部である。
【００２４】
この発明の第２の実施の形態を図７および図８により説明する。第１の実施の形態において、係止部２２に被係止部２３が係止された状態で、プラグインブレーカ５の一方側端面５ａに当接する押出し片３７を本体駆動部２６ｂに形成している。実施の形態の押出し片３７は押圧片３０の近傍の周面より突出する断面略三角形突条であり、軸方向の全長にわたって延びている。したがって、回動操作部２６ａを回動すると押圧片３０で本体２５を押し上げるのとほぼ同時に押出し片３７がプラグインブレーカ５の一方側端面５ａである前面に接触した状態からその前面を後方に押圧し、係止部２２が被係止部２３から外れると同時にプラグインブレーカ５を後方に押動し、取り外し容易となる。なお、押出し片３７と押圧片３０は一定の関係で配置し、第１の実施の形態と同様に各プラグインブレーカ５を個別に係止解除できるように位置を設定するのが好ましい。その他は、第１の実施の形態と同様である。
【００２５】
【発明の効果】
請求項１記載の分電盤によれば、本体とは別体の操作体を回動操作することによって操作体に形成された押圧片が本体の基端および先端間の裏面に臨んで係止部を被係止部から外す方向に押圧付勢し、係止部を被係止部から外すことができるので、本体の基端から先端間への押圧量でそのまま係止部を被係止部から外すことができる。従って、従来に比べて係止部材が破損し難いものとなる。
【００２６】
請求項２記載の分電盤によれば、請求項１と同様な効果のほか、操作体が回転すると、本体の押出し片がプラグインブレーカの一方側端面に当接してプラグインブレーカを取り外す方向の力を蓄積し、そのまま操作体を回転させて係止部から被係止部が外れると蓄積された力でプラグインブレーカを簡単に取り外すことができ、そのためプラグインブレーカの取り外し作業が容易となる。
【００２７】
請求項３記載の分電盤によれば、請求項１と同様な効果のほか、操作体が回転すると、本体駆動部の押出し片がプラグインブレーカの一方側端面に当接してプラグインブレーカを取り外す方向の力を蓄積し、そのまま操作体を回転させて係止部から被係止部が外れると蓄積された力でプラグインブレーカを簡単に取り外すことができ、そのためプラグインブレーカの取り外し作業が容易となる。
【図面の簡単な説明】
【図１】この発明の第１の実施の形態のプラグインブレーカの設置状態の部分断面図である。
【図２】その部分斜視図である。
【図３】一方の係止部が被係止部から外れた状態の部分図である。
【図４】その部分斜視図である。
【図５】導電バー上の係止部材の分解斜視図である。
【図６】分電盤の蓋体を外した状態の平面図である。
【図７】第２の実施の形態の操作体の斜視図である。
【図８】一方の係止部が外れた状態のプラグインブレーカの部分断面図である。
【図９】従来例のプラグインブレーカの取付状態の部分断面図である。
【図１０】従来例の係止部材とプラグインブレーカの一部を示す斜視図である。
【符号の説明】
１　　ベース
２　　導電バー
３　　導電バー
４　　導電バー
５　　プラグインブレーカ
５ａ　　一方側端面
６　　係止部材
７　　引掛部
１０　　係合部
１１　　係合部
１６　　受刃
１７　　受刃
１８　　被引掛部
２２　　係止部
２３　　被係止部
２３ａ　　斜面
２５　　本体
２６　　操作体
２６ａ　　回動操作部
２６ｂ　　本体駆動部
３０　　押圧片
３７　　押出し片
【図１】
2004147376.tif 000003
【図２】
2004147376.tif 000004
【図３】
2004147376.tif 000005
【図４】
2004147376.tif 000006
【図５】
2004147376.tif 000007
【図６】
2004147376.tif 000008
【図７】
2004147376.tif 000009
【図８】
2004147376.tif 000010
【図９】
2004147376.tif 000011
【図１０】
2004147376.tif 000012